(57)【要約】      （修正有）【課題】中仕切りを必要に応じて自在に形成できる鞄を提供する。【解決手段】開口を有する収納部１ａを備えた鞄１において、収納部は、予め定めた位置にある、向かい合う部分を撓曲して接合できる程度の柔らかな素材でできており、予め定めた位置の向かい合う部分を接合させることによって中仕切りを区画可能な、接合及び分離自在な留め具２〜７が設けられている。仕切りの必要な時にだけ、留め具を用いて収納部の予め定めた位置を接合するだけで、簡単に中仕切りを作ることができる。また、仕切りが不要になった時には、留め具の接合を分離するだけで良く、場所を取るような荷物が増えることは無い。【選択図】図６
0003224327.tif 000002
【実用新案登録請求の範囲】
【請求項１】
開口を有する収納部を備えた鞄において、
前記収納部は、予め定めた位置にある、向かい合う部分を撓曲して接合できる程度の柔らかな素材できており、
前記予め定めた位置の向かい合う部分を接合させることによって中仕切りを区画可能な、接合及び分離自在な留め具が設けられていることを特徴とする鞄。
【請求項２】
前記鞄は、箱状の収納部を有するインナーケースである、ことを特徴とする請求項１に記載の鞄。
【請求項３】
前記留め具は、グリッド状に複数配置されている、ことを特徴とする請求項１又は請求項２に記載の鞄。
【請求項４】
前記向かい合う部分は、収納物の位置が確認できる目の粗さのメッシュになっており、前記留め具は前記メッシュの任意の位置にスナップ留め可能なホックである、ことを特徴とする請求項１乃至請求項３の何れか一項に記載の鞄。
【請求項５】
前記スナップ留め可能なホックは、凸部及び凹部で構成されており、前記凸部は、凸部品と凸用キャップとで構成されており、凸部品からは、鞄の収納部の生地を貫いて前記凸用キャップに係止されるピンが伸びており、前記凹部は、凹部品と凹用キャップとで構成されており、凹部品からは、鞄の収納部の布地を貫いて前記凹用キャップに係止されるピンが伸びている、ことを特徴とする請求項４に記載の鞄。
【考案の詳細な説明】
【技術分野】
【０００１】
本考案はトートバッグ、買い物袋（エコバッグ）、インナーケース、書類ケース等を含む鞄に関する。
【背景技術】
【０００２】
従来の鞄の収納部には、収納したものを動かないようにする間仕切りが設けられているもの、または、小物入れ用収納板（特許文献１を参照）を備えたものがある。外出する時に、間仕切りが不要、または小物入れ用収納板が不要と考え、取り外して外出したが、出先で必要になった場合には、使うことができない。反対に、必要と考え、間仕切りを付けて外出、又は、小物入れ用収納板を入れて外出したが、比較的大きなものを収納する必要が生じ、不要となった場合には、取り外した間仕切り等も、別途どこかに収納して持ち運ぶ必要があった。
【先行技術文献】
【特許文献】
【０００３】
【特許文献１】特開２００５−１１１０４６号公報
【考案の概要】
【考案が解決しようとする課題】
【０００４】
本考案は、上記従来例の問題を解決するためになされたものであり、未使用時にも収納性を損なわない、特別な構成の間仕切りを有する鞄を提供することを目的とする。
【課題を解決するための手段】
【０００５】
上記目的を達成するために本考案の鞄は、開口を有する収納部を備え、前記収納部は、予め定めた位置にある、向かい合う部分を撓曲して接合できる柔らかな素材できており、前記予め定めた位置の向かい合う部分を接合させることによって中仕切りを区画可能な、接合及び分離自在な留め具が設けられていることを特徴とする。
【０００６】
前記鞄は、箱状の収納部を有するインナーケースであることが好ましい。
【０００７】
前記留め具は、グリッド状に複数配置されていることが好ましい。
【０００８】
前記向かい合う部分は収納物の位置が確認できる目の粗さのメッシュになっており、前記留め具は前記メッシュの任意の位置にスナップ留め可能なホックであることが好ましい。また、前記スナップ留め可能なホックは、凸部及び凹部で構成されており、前記凸部は、凸部品と凸用キャップとで構成されており、凸部品からは、鞄の収納部の生地を貫いて前記凸用キャップに係止されるピンが伸びており、前記凹部は、凹部品と凹用キャップとで構成されており、凹部品からは、鞄の収納部の布地を貫いて前記凹用キャップに係止されるピンが伸びているのが、好ましい。
【考案の効果】
【０００９】
本考案によれば、仕切りの必要な時にだけ、留め具を用いて収納部の予め定めた位置を接合するだけで、簡単に中仕切りを作ることができる。また、仕切りが不要になった時には、留め具の接合を分離するだけで良く、場所を取るような荷物が増えることは無い。
【図面の簡単な説明】
【００１０】
【図１】本考案の一実施例に係るインナーケースの写真。
【図２】本考案の一実施形態に係るインナーケースの（ａ）は正面図、（ｂ）は左側面図、（ｃ）は右側面図、（ｄ）は平面図、（ｅ）は底面図。
【図３】（ａ）は図２（ａ）に示す正面図のＡ−Ａ断面図及びＢ−Ｂ断面図、（ｂ）はホックを外した状態を示す。
【図４】（ａ）は図２（ａ）に示す正面図のＣ−Ｃ断面図、Ｄ−Ｄ断面図及びＥ−Ｅ断面図、（ｂ）はホックを外した状態を示す図。
【図５】（ａ）（ｂ）（ｃ）（ｄ）は、スナップ式のホックの構成を示す。
【図６】鞄１の使用状態を示す参考図。
【図７】異なる実施の形態に係るトートバッグを示し（ａ）は斜視図、（ｂ）は側方から収納部を見た図、（ｃ）は（ｂ）に示す図のＦ−Ｆ断面図。
【考案を実施するための形態】
【００１１】
本考案の鞄は、開口を有する収納部を備えており、収納部は、予め定めた位置にある、向かい合う部分を撓曲して（「撓ませて曲げて）の意味）接合できる程度の柔らかな素材できており、予め定めた位置の向かい合う部分を接合させることによって中仕切りを区画可能な、接合及び分離自在な留め具が設けられていることを特徴とする。
上記構成を採用することによって、仕切りの必要な時、留め具を用いて収納部の予め定めた位置を接合するだけで、簡単に中仕切りを作ることができる。また、仕切りが不要になった時には、留め具の接合を分離するだけで良く、場所を取るような荷物が増えることは無い。
【００１２】
本考案の一実施の形態に係る鞄１の構成について、添付の図面を参照しつつ説明する。
図1は鞄１の実施例の写真を示す。図２（ａ）は鞄１の正面図、（ｂ）は左側面図、(ｃ)は右側面図、（ｄ）は平面図、（ｅ）は底面図、を示す。鞄1は、箱状の収納部を有するインナーケースで、詳しくは、マチ幅２０ｍｍ程度で、収納物の位置が確認できる、例えば、０．１ｍｍ以上の格子サイズのメッシュ素材でできたケースである。鞄１は、収納部１ａの向かい合う部分に、接合及び分離自在な留め具として、６個のホック２〜７が取り付けてある。
【００１３】
鞄１の収納部１ａは、向かい合う部分を撓曲して接合できる程度の柔らかな布地として、メッシュ素材でできている。図３（ａ）は、図２（ａ）の正面図のＡ−Ａ断面図を示す。図示するように、Ａ−Ａ断面図には、ホック２、４、６が示されている。ホック２、４、６は、それぞれオス型ホック２ａ、４ａ、６ａと、メス型ホック２ｂ、４ｂ、６ｂとで構成されている。図３(ｂ)は、オス型ホック２ａ、４ａ、６ａと、メス型ホック２ｂ、４ｂ、６ｂとを分離させた状態の断面を示す。図２（ａ）の正面図のＢ−Ｂ断面図は、ホック３、５、７について、Ａ−Ａ断面図と同様の図面になる。図４（ａ）は、図２（ａ）の正面図のＣ−Ｃ断面図を示す。図示するように、Ｃ−Ｃ断面図には、ホック２、３が示されている。ホック２、３は、それぞれオス型ホック２ａ、３ａと、メス型ホック２ｂ、３ｂとで構成されている。図４（ｂ）はオス型ホック２ａ、３ａと、メス型ホック２ｂ、３ｂとを分離させた状態の断面を示す。図２（ａ）の正面図のＤ−Ｄ断面図、Ｅ−Ｅ断面図は、それぞれホック４及び５、６及び７について、Ｃ−Ｃ断面図と同様の図面になる。
【００１４】
上記構成の鞄１の収納部１ａは、向かい合う部分を撓曲して接合できる程度の柔らかな素材でできており、必要に応じて、対応するオスメス同士のホックを接合し、中仕切りを区画形成することができる。
【００１５】
図１、図２に示した鞄１に取り付けられているホック２〜７は、凸部を有するオス型ホック２ａ〜７ａ及び凹部を有するメス型ホック２ｂ〜７ｂで構成されている。オス型ホック２ａ〜７ａは、凸部品と凸用キャップ（図５を参照）とで構成されており、凸用キャップは、鞄１の収納部１ａを形成しているメッシュ素材を挟んで、凸部品にスナップ留めできるようになっている。同様に、メス型ホック２ｂ〜７ｂは、凹部品と凹用キャップ（図５を参照）とで構成されており、凹用キャップは、鞄１の収納部１ａを形成しているメッシュ素材を挟んで、凹部品にスナップ留めできるようになっている。
【００１６】
図５は、スナップ留め式のホックの構成を示す。図５（ａ）（ｂ）は、一例として、鞄１のホック２の構成を示す拡大図である。ホック２は、オス型ホック２ａとメス型ホック２ｂとで構成されている。オス型ホック２ａは、凸部品２ｃと凸用キャップ２ｄとで構成されている。凸用キャップ２ｄは係止ピン２ｅを有しており、凸部品２ｃはピン２ｅが挿入されると、これを挟持し、係止する孔２ｆを有している。凸用キャップ２ｄは、ピン２ｅを鞄１の収納部１ａを形成しているメッシュ素材を貫いて凸部品２ｃの孔２ｆに差し込むことによって固定される。メス型ホック２ｂは、凹部品２ｇと凹用キャップ２ｈとで構成されている。凹用キャップ２ｈは係止ピン２ｉを有しており、凹部品２ｇはピン２ｉが挿入されると、これを挟持し、係止する孔２ｊを有している。凹用キャップ２ｈは、ピン２ｉを鞄１の収納部１ａを形成しているメッシュ素材を貫いて凸部品２ｇの孔２ｊに差し込むことによって固定される。
【００１７】
図５（ｃ）（ｄ）は、より良い構成のスナップ留め式のホック１２の構成を示す。図５（ｃ）（ｄ）に示すホック１２は、オス型ホック１２ａとメス型ホック１２ｂとで構成されている。オス型ホック１２ａは、凸部品１２ｃと凸用キャップ１２ｄとで構成されている。凸部品１２ｃは係止ピン１２ｅを有しており、凸用キャップ１２ｄはピン１２ｅが挿入されると、これを挟持し、係止する孔１２ｆを有している。凸部品１２ｃは、ピン１２ｅを鞄１の収納部１ａを形成しているメッシュ素材を貫いて凸用キャップ１２ｄの孔１２ｆに差し込むことによって固定される。メス型ホック１２ｂは、凹部品１２ｇと凹用キャップ１２ｈとで構成されている。凹部品１２ｇは係止ピン１２ｉを有しており、凸用キャップ１２ｈはピン１２ｉが挿入されると、これを挟持し、係止する孔１２ｊを有している。凹部品１２ｇは、ピン１２ｉを鞄１の収納部１ａを形成しているメッシュ素材を貫いて凹用キャップの孔１２ｊに差し込むことによって固定される。
【００１８】
ホック１２は、ホック２と異なり、図５(ｄ)に示すように、凸部品１２ｃと凹部品１２ｇとを接合させた状態のものを、鞄１の収納部１ａの向かい合うメッシュ素材などの布地に挟むだけで、凸部品１２ｃと凹部品１２ｇの位置ずれを無くした状態で、それぞれのキャップ１２ｄ及び１２ｈの取り付けが可能になる利点を有する。これにより、ホックの取付位置を決める作業が格段に容易になる。
【００１９】
図６は、上記構成の鞄１の使用状態を示す参考図である。図示するように、ホックを接合させることによって、収納部１ａの向かい合う布地で内容物を挟み、搬送時に動かないようにする。
【００２０】
図７は、実施の形態の変形例に係る鞄２０を示す。鞄２０は、トートバッグ状の鞄で、図７（ａ）は鞄２０の斜視図、図７（ｂ）は正面図、図７（ｃ）は図７（ｂ）に示す正面図のＦ−Ｆ断面図を示す。図７(ｃ)には、一例として、ホック２９を接合し、ホック３０〜３２をオス型ホック及びメス型ホックに分離した状態を示す。鞄２０では、鞄１と同様に、３×４のグリッド状に全部で１２個のホック２１〜３２を有している。
【００２１】
なお、ホック２１〜３２の配置形状は、グリッド状に限定する意図は無く、鞄を購入すると予想される需要者が鞄に収納すると予想されるもの、例えば文具等のサイズに応じて、互い違いの形状、ランダムな形状、幾何学模様となる形状にホックを取り付ければ良い。
【００２２】
なお、本考案は、上記各種実施形態の構成に限られず、考案の趣旨を変更しない範囲で種々の変形が可能である。例えば、鞄１の収納部の素材は、向かい合う部分を撓曲して接合できる程度の柔らかな素材のものを用いればよく、例えば綿、化繊等の布地、ビニール素材等を用いても良い。なお、収納物の位置が確認できる目の粗さのメッシュ素材としたのは、収納しているものの位置が分かり易いからで、同趣旨により、ビニール素材を用いる場合には、透明又は半透明のビニールを用いるのが好ましい。また、鞄は、有底で、開口を有するものであればよく、開口は上部に設けられる場合に限定されない。開口は、例えば、背負うタイプの鞄の場合、側部に縦型ファスナー付きで設けられる場合も含む。
【産業上の利用可能性】
【００２３】
本考案は、図１に示したケース状、図６に示したトートバッグ状のものに限らず、有底で、開口を有し、袋状又は箱状の収納部を備える鞄に用いることができる。
【符号の説明】
【００２４】
１        鞄
１ａ      鞄の収納部
２、３、４、５、６、７、１２  ホック
２ａ、３ａ、４ａ、５ａ、６ａ、７ａ、１２ａ  オス型ホック
２ｂ、３ｂ、４ｂ、５ｂ、６ｂ、７ｂ、１２ｂ  メス型ホック
１２ｃ    凸部品
１２ｄ    凸用キャップ
１２ｅ    ピン
１２ｆ    孔
【図１】
0003224327.tif 000003
【図２】
0003224327.tif 000004
【図３】
0003224327.tif 000005
【図４】
0003224327.tif 000006
【図５】
0003224327.tif 000007
【図６】
0003224327.tif 000008
【図７】
0003224327.tif 000009